(57)【要約】【課題】嵩張ることなく保管・運搬でき、使用時には農業用フィルム等の張設物を確実に押さえて土の表面に固定できるようにする。【解決手段】張設物を上方から下方へ貫通して土中に刺し込む土刺部２と、その上端側に設けて張設物を上方から押さえる押頭部３とから成り、土刺部２の側縁に、土から抜け止めする鋸刃状の抜止歯４を形成した張設物の留め具１において、段ボールを材料とし、土刺部２では段目方向が上下に向くようにし、土刺部２と押頭部３とを段目に直交する折目線５を介して連設し、この折目線５に沿って土刺部２と押頭部３とを折り曲げるようにする。保管・運搬時に、折り曲げることなく延ばしておくと、全体が偏平な板状となって嵩張ることがなく、使用に際し、折目線５に沿って土刺部２に対し押頭部３を折り曲げ、土刺部２を土中に刺し込むと、押頭部３で張設物を確実に押さえることができる。【選択図】図２
2011223943.tif 000002
【特許請求の範囲】
【請求項１】
張設物を上方から下方へ貫通して土中に刺し込む土刺部(2)と、その上端側に設けて張設物を上方から押さえる押頭部(3)とから成り、土刺部(2)の側縁に、土から抜け止めする鋸刃状の抜止歯(4)を形成した張設物の留め具(1)において、段ボールを材料とし、土刺部(2)では段目方向が上下に向くようにし、土刺部(2)と押頭部(3)とを段目に直交する折目線(5)を介して連設し、この折目線(5)に沿って土刺部(2)と押頭部(3)とを折り曲げるようにしたことを特徴とする張設物の留め具。
【請求項２】
前記土刺部(2)を、段目方向に延びる折返線(7)に沿って段ボールを折り重ねることにより、二重構造としたことを特徴とする請求項１に記載の張設物の留め具。
【請求項３】
前記土刺部(2)を一対備え、押頭部(3)には、対向する土刺部(2)の上端同士を繋ぐ連結部(3a)を設けると共に、連結部(3a)から土刺部(2)への切込により、連結部(3a)の延長面上に突出する舌片部(3b)を設け、舌片部(3b)で張設物を押さえるようにしたことを特徴とする請求項１に記載の張設物の留め具。
【請求項４】
前記押頭部(3)を、土刺部(2)が折目線(5)を介して繋がる下板部(3c)と、その端縁に折返線(8)を介して繋がる上板部(3d)とから形成し、上板部(3d)に係止穴(9)を設け、土刺部(2)の上端に、下板部(3c)への切込により係止片(10)を突設し、下板部(3c)と上板部(3d)とを折返線(8)に沿って折り重ね、係止片(10)を係止穴(9)に係入したことを特徴とする請求項１に記載の張設物の留め具。
【発明の詳細な説明】
【技術分野】
【０００１】
この発明は、農業用フィルムやネット等の張設物を土に固定する留め具に関する。
【背景技術】
【０００２】
例えば、畑において、農作物に被害を与える土の降霜を防止したり、害虫から農作物を保護するため、土の表面にフィルムを張設することがある。また、植林を行う際、苗木周辺での雑草の生育を抑制するため、山肌にネットを張設することもある。
【０００３】
そして、このような張設物を土に固定する留め具として、図９に示すように、張設物を上方から下方へ貫通して土中に刺し込む土刺部５１と、その上端に設けて張設物を上方から押さえる押頭部５２とから成り、土刺部５１の両側に、土から抜け止めする鋸刃状の抜止歯５３を形成した樹脂成形品が使用されている（下記特許文献１参照）。
【先行技術文献】
【特許文献】
【０００４】
【特許文献１】特開平１０−２４３７６５号公報
【発明の概要】
【発明が解決しようとする課題】
【０００５】
しかしながら、上記のような成型品の留め具では、保管や運搬上の都合から、押頭部５２をあまり大きくすることができず、張設物に設けた土刺部５１の貫通穴が張設物の断裂等により拡大すると、押頭部５２による張設物の押さえが効かなくなるおそれがある。
【０００６】
また、土刺部５１と押頭部５２のなす角度を変えることができないので、土の表面に起伏があると、押頭部５２で張設物を均等に押さえることができなくなり、張設物の固定力が十分に得られない場合がある。
【０００７】
そこで、この発明は、嵩張ることなく保管・運搬でき、使用時には張設物を確実に押さえて土の表面に固定できるようにすることを課題とする。
【課題を解決するための手段】
【０００８】
上記課題を解決するため、この発明は、張設物を上方から下方へ貫通して土中に刺し込む土刺部と、その上端側に設けて張設物を上方から押さえる押頭部とから成り、土刺部の側縁に、土から抜け止めする鋸刃状の抜止歯を形成した張設物の留め具において、段ボールを材料とし、土刺部では段目方向が上下に向くようにし、土刺部と押頭部とを段目に直交する折目線を介して連設し、この折目線に沿って土刺部と押頭部とを折り曲げるようにしたのである。
【０００９】
また、前記土刺部を、段目方向に延びる折返線に沿って段ボールを折り重ねることにより、二重構造としたのである。
【００１０】
また、前記土刺部を一対備え、押頭部には、対向する土刺部の上端同士を繋ぐ連結部を設けると共に、連結部から土刺部への切込により、連結部の延長面上に突出する舌片部を設け、舌片部で張設物を押さえるようにしたのである。
【００１１】
そのほか、前記押頭部を、土刺部が折目線を介して繋がる下板部と、その端縁に折返線を介して繋がる上板部とから形成し、上板部に係止穴を設け、土刺部の上端に、下板部への切込により係止片を突設し、下板部と上板部とを折返線に沿って折り重ね、係止片を係止穴に係入したのである。
【発明の効果】
【００１２】
このような留め具では、保管・運搬時に、土刺部と押頭部とを折目線に沿って折り曲げることなく延ばしておくと、全体が偏平な板状となって嵩張ることがなく、使用に際し、折目線に沿って土刺部に対し押頭部を折り曲げ、土刺部を土中に刺し込むと、押頭部で張設物を確実に押さえることができる。
【００１３】
このとき、土の表面に起伏があっても、押頭部が土の表面に追従するように土刺部に対して揺動するので、張設物を確実に押さえて、土の表面に固定することができ、張設物の風によるばたつきや捲れを防止することができる。
【００１４】
また、材料が段ボールであることから、張設物の固定作業時に、抜止歯等の尖った部分で怪我をしにくく、使用後に回収しなくても、自然に生分解されるので、環境に悪影響を及ぼすことがない。
【図面の簡単な説明】
【００１５】
【図１】この発明の第１実施形態に係る留め具の使用状態を示す斜視図
【図２】同上の（ａ）ブランクを示す表面図、（ｂ）組立状態を示す斜視図
【図３】第２実施形態の（ａ）ブランクを示す表面図、（ｂ）組立状態を示す斜視図
【図４】第３実施形態の（ａ）ブランクを示す表面図、（ｂ）組立状態を示す斜視図
【図５】第４実施形態の（ａ）ブランクを示す表面図、（ｂ）組立状態を示す斜視図
【図６】第５実施形態の（ａ）ブランクを示す表面図、（ｂ）組立状態を示す斜視図
【図７】第６実施形態の（ａ）ブランクを示す表面図、（ｂ）組立状態を示す斜視図
【図８】第７実施形態の（ａ）ブランクを示す裏面図、（ｂ）組立状態を示す斜視図
【図９】従来の留め具を示す斜視図
【発明を実施するための形態】
【００１６】
以下、この発明の実施形態を添付図面に基づいて説明する。
【００１７】
図１に示すように、この発明に係る留め具１は、農業用フィルム等の張設物Ｆを畑に張設して固定するために使用される。張設物Ｆは、畑の畝に植えられた野菜等の農作物Ｃを土の降霜や害虫から保護するものであり、農作物Ｃを、張設物Ｆに設けた穴から上方へ突出させ、畝の土を全体的に張設物Ｆで覆うようにする。
【００１８】
上記留め具１の第１実施形態を図２に示す。
【００１９】
この留め具１は、表面及び裏面のライナの間に波状の中芯を挟んでこれらを貼り合わせた段ボールを材料とするものであり、図２（ａ）に示すブランクにおいて、段ボールの中芯の段頂が延びる方向であって強度に優れた段目方向を上下に向け、縦方向に長い土刺部２の上端側に押頭部３を連設した構成とされている。
【００２０】
押頭部３は、土刺部２よりも幅が広い方形状とされ、土刺部２の上部は、押頭部３に逆台形状に切れ込み、土刺部２の両側には、土から抜け止めするため、細かい鋸刃状の抜止歯４が形成されている。
【００２１】
土刺部２と押頭部３の境界には、段ボールの裏側から押罫による折目線５が段目に直交する方向へ延びるように入れられ、その中間部に、上方へ向けて押頭部３をコ字状に切り込むことにより戻止片６が形成されている。
【００２２】
このような留め具１を保管・運搬する際には、上記ブランクの状態のように、土刺部２と押頭部３とを折目線５に沿って折り曲げることなく延ばしておくと、全体が偏平な板状となって嵩張ることがない。
【００２３】
そして、留め具１を使用する際には、図２（ｂ）に示すように、直立させた土刺部２に対し押頭部３を折目線５に沿って水平方向へ折り曲げる。このとき、戻止片６の切込が折り曲げの反発を弱めると共に、戻止片６が押頭部３から立ち上がって、その抜出跡の端縁に当接し、土刺部２と押頭部３との折曲状態が維持される。
【００２４】
その後、上記のように組み立てた留め具１の土刺部２を、張設物Ｆに設けた小穴を介して、張設物Ｆの上方から下方へ貫通させ、土に押し付けると、土刺部２は、座屈することなく、土中に刺し込まれ、押頭部３により張設物Ｆが上方から押さえられるので、張設物Ｆを土の表面に固定することができる。
【００２５】
このとき、土の表面に起伏があっても、押頭部３が土の表面に追従するように土刺部２に対して揺動するので、張設物Ｆを確実に押さえて、土の表面に固定することができ、風による張設物Ｆのばたつきや捲れ等を確実に防止することができる。
【００２６】
次に、留め具１の第２実施形態を図３に示す。
【００２７】
この留め具１は、上記第１実施形態のものの押頭部３を、ブランクにおいて土刺部２の先端まで延長し、抜止歯４を荒くしたものであり、基本構成や機能は、第１実施形態のものと同様であるので、詳細な説明は省略する。
【００２８】
なお、第１及び第２実施形態のいずれの留め具１を使用するかは、畑の土質や固定するフィルムの大きさ等を考慮して決定する。
【００２９】
次に、留め具１の第３実施形態を図４に示す。
【００３０】
この留め具１もまた、段ボールを材料とするものであり、図４（ａ）に示すブランクにおいて、段ボールの段目方向を上下に向け、幅方向中央部に上下全長に亘って、段ボールの表側から厚さ方向に半分程度切り込んだ半切の折返線７を入れ、この折返線７を軸として、両側対称に土刺部２及び押頭部３を形成したものとされている。
【００３１】
折返線７を挟んだ各側において、土刺部２は、縦方向に長い棒状部２ａの上端に側方への張出部２ｂを設けた形状とされ、棒状部２ａには、土から抜け止めするため、荒い鋸刃状の抜止歯４が形成されている。
【００３２】
押頭部３は、張出部２ｂの下端に棒状部２ａの先端へかけて連設され、張出部２ｂと押頭部３の境界には、段ボールの表側から押罫による折目線５が段目に直交する方向へ延びるように入れられている。
【００３３】
このような留め具１を保管・運搬する際には、上記ブランクの状態のように、土刺部２と押頭部３とを折目線５に沿って折り曲げることなく延ばし、土刺部２を折返線７に沿って折り重ねることなく延ばしておくと、全体が偏平な板状となって嵩張ることがない。
【００３４】
そして、留め具１を使用する際には、図４（ｂ）に示すように、土刺部２を折返線７に沿って折り重ねて貼り合わせ、直立させた土刺部２に対し押頭部３を折目線５に沿って水平方向へ折り曲げる。
【００３５】
その後、上記のように組み立てた留め具１の土刺部２の張出部２ｂを摘み、棒状部２ａを張設物Ｆに設けた小穴を介して、張設物Ｆの上方から下方へ貫通させ、土に押し付けると、棒状部２ａは、座屈することなく、土中に刺し込まれ、押頭部３により張設物Ｆが上方から押さえられるので、張設物Ｆを土の表面に固定することができる。
【００３６】
このとき、土の表面に起伏があっても、押頭部３が土の表面に追従するように土刺部２に対して揺動するので、張設物Ｆを確実に押さえて、土の表面に固定することができ、風による張設物Ｆのばたつきや捲れ等を確実に防止することができる。
【００３７】
次に、留め具１の第４実施形態を図５に示す。
【００３８】
この留め具１は、上記第３実施形態のものの押頭部３を、土刺部２の棒状部２ａの半分程度の長さまで短くしたものであり、基本構成や機能は、第３実施形態のものと同様であるので、詳細な説明は省略する。
【００３９】
次に、留め具１の第５実施形態を図６に示す。
【００４０】
この留め具１は、上記第４実施形態のものの押頭部３をさらに短くし、抜止歯４を細かくしたものであり、基本構成や機能は、第３，４実施形態のものと同様であるので、詳細な説明は省略する。
【００４１】
なお、第３乃至第５実施形態のいずれの留め具１を使用するかは、畑の土質や固定するフィルムの大きさ等を考慮して決定する。
【００４２】
次に、留め具１の第６実施形態を図７に示す。
【００４３】
この留め具１もまた、段ボールを材料とするものであり、図７（ａ）に示すブランクにおいて、段ボールの段目方向を上下に向け、縦方向に長い一対の土刺部２が押頭部３を挟んで連設されている。土刺部２の両側には、土から抜け止めするため、細かい鋸刃状の抜止歯４が形成されている。
【００４４】
押頭部３には、土刺部２の上端となる端縁同士を繋ぐ連結部３ａと、連結部３ａから土刺部２をコ字状に切り込んだ舌片部３ｂとが設けられている。
【００４５】
土刺部２と連結部３ａの境界には、段ボールの裏側から押罫による折目線５が段目に直交する方向へ延びるように入れられている。
【００４６】
このような留め具１を保管・運搬する際には、上記ブランクの状態のように、土刺部２と押頭部３とを折目線５に沿って折り曲げることなく延ばしておくと、全体が偏平な板状となって嵩張ることがない。
【００４７】
そして、留め具１を使用する際には、図７（ｂ）に示すように、押頭部３から一対の土刺部２を折目線５に沿って下方へ折り曲げ、一対の土刺部２を対向させると、連結部３ａの延長面上に舌片部３ｂが突出する。
【００４８】
その後、上記のように組み立てた留め具１の土刺部２を、張設物Ｆに設けた小穴を介して、張設物Ｆの上方から下方へ貫通させ、土に押し付けると、土刺部２は、座屈することなく、土中に刺し込まれ、押頭部３の舌片部３ｂにより張設物Ｆが上方から押さえられるので、張設物Ｆを土の表面に固定することができる。
【００４９】
このとき、土の表面に起伏があっても、２本の折目線５における折曲角度が変化し、押頭部３が土の表面に追従するように土刺部２に対して揺動するので、張設物Ｆを確実に押さえて、土の表面に固定することができ、風による張設物Ｆのばたつきや捲れ等を確実に防止することができる。
【００５０】
次に、留め具１の第７実施形態を図８に示す。
【００５１】
この留め具１もまた、段ボールを材料とするものであり、図８（ａ）に示すブランクにおいて、段ボールの段目方向を上下に向け、縦方向に長い土刺部２を上端側に押頭部３を連設した構成とされ、土刺部２の両側には、土から抜け止めするため、細かい鋸刃状の抜止歯４が形成されている。
【００５２】
押頭部３は、土刺部２が折目線５を介して繋がる下板部３ｃと、これに半切の折返線８を介して繋がる上板部３ｄとから成り、これらは土刺部２よりも幅が広い方形状とされ、折目線５及び折返線８は、段目に直交する方向に段ボールの裏側から入れられている。
【００５３】
上板部３ｄの中央部には、段ボールの厚さの２倍程度の幅を有するスロット状の係止穴９が設けられ、係止穴９の両端縁には切目９ａが入れられている。土刺部２の上端には、下板部３ｃへの切込により，上拡がりテーパー状の係止片１０が突設されている。
【００５４】
このような留め具１を保管・運搬する際には、上記ブランクの状態のように、土刺部２と押頭部３とを折目線５に沿って折り曲げることなく延ばし、押頭部３を折返線８に沿って折り重ねることなく延ばしておくと、全体が偏平な板状となって嵩張ることがない。
【００５５】
そして、留め具１を使用する際には、図８（ｂ）に示すように、直立させた土刺部２に対し押頭部３の下板部３ｃを折目線５に沿って水平方向へ折り曲げ、下板部３ｃと上板部３ｄとを折返線８に沿って折り重ね、土刺部２の上端から突出した係止片１０を、切目９ａを押し広げつつ係止穴９に係入すると、下板部３ｃと上板部３ｄとが重合状態に固定され、土刺部２と下板部３ｃとの折曲状態が維持される。
【００５６】
その後、上記のように組み立てた留め具１の土刺部２を、張設物Ｆに設けた小穴を介して、張設物Ｆの上方から下方へ貫通させ、土に押し付けると、土刺部２は、座屈することなく、土中に刺し込まれ、押頭部３により張設物Ｆが上方から押さえられるので、張設物Ｆを土の表面に固定することができる。
【００５７】
このとき、土の表面に起伏があっても、係止穴９の幅方向における係止片１０の移動が許容されていることから、押頭部３が土の表面に追従するように土刺部２に対して揺動するので、張設物Ｆを確実に押さえて、土の表面に固定することができ、風による張設物Ｆのばたつきや捲れ等を確実に防止することができる。
【００５８】
上記各実施形態のような留め具１では、材料が段ボールであることから、張設物Ｆの固定作業時に、抜止歯４等の尖った部分で怪我をしにくく、使用後に回収しなくても、自然に生分解されるので、環境に悪影響を及ぼすことがない。
【符号の説明】
【００５９】
１  留め具
２  土刺部
２ａ  棒状部
２ｂ  張出部
３  押頭部
３ａ  連結部
３ｂ  舌片部
３ｃ  下板部
３ｄ  上板部
４  抜止歯
５  折目線
６  戻止片
７，８  折返線
９  係止穴
９ａ  切目
１０  係止片
Ｆ  張設物
【図１】
2011223943.tif 000003
【図２】
2011223943.tif 000004
【図３】
2011223943.tif 000005
【図４】
2011223943.tif 000006
【図５】
2011223943.tif 000007
【図６】
2011223943.tif 000008
【図７】
2011223943.tif 000009
【図８】
2011223943.tif 000010
【図９】
2011223943.tif 000011